(57)【特許請求の範囲】
【請求項１】
並列に配列された複数の鍵と、
この複数の鍵の各後部にそれぞれ設けられ、押鍵操作に応じてヒンジとして上下方向に撓み変形する複数の撓み部と、
前記複数の鍵の後方にその配列方向に連続して配置され、前記複数の撓み部がそれぞれ連結される連結支持部と、
前記各鍵と当該各鍵に対応して設けられた前記連結支持部との間に設けられ、上下方向から押されることによって上下方向に変形することにより、前記鍵を前記撓み部と共にほぼ水平方向に変位させる変形部と、
を備えていることを特徴とする鍵盤装置。
【請求項２】
前記変形部は、前記鍵の長手方向に沿って複数個ずつ設けられていることを特徴とする請求項１に記載の鍵盤装置。
【請求項３】
前記変形部は、前記撓み部における前記鍵の配列方向の両側にそれぞれ設けられていることを特徴とする請求項１または請求項２に記載の鍵盤装置。
【発明の詳細な説明】
【技術分野】
【０００１】
この発明は、電子ピアノや電子オルガンなどの鍵盤楽器に用いられる鍵盤装置に関する。
【背景技術】
【０００２】
従来、電子ピアノなどの鍵盤装置においては、特許文献１に記載されているように、並列に配列された複数の鍵と、この複数の鍵の各後部にそれぞれ設けられて上下方向に撓み変形する複数の撓み部と、複数の鍵の後方にその配列方向に連続して配置され、且つ複数の撓み部の各後部がそれぞれ連結する連結支持部とを備え、これらを合成樹脂によって一体に成形した構成のものが知られている。
【先行技術文献】
【特許文献】
【０００３】
【特許文献１】特開２０００−６６６６０号公報
【０００４】
このような鍵盤装置は、連結支持部を鍵盤シャーシ上にビスによって取り付け、この連結支持部によって複数の鍵を支持した状態で鍵盤シャーシ上に配列させ、この状態で鍵が押鍵操作されると、撓み部が下側に向けて撓み変形し、この撓み部を中心として鍵が下側に押し下げられると共に、この押し下げられた鍵が撓み部の弾性復帰力によって初期位置に戻るように構成されている。
【発明の概要】
【発明が解決しようとする課題】
【０００５】
このような従来の鍵盤装置では、連結支持部を鍵盤シャーシ上に取り付けて複数の鍵を鍵盤シャーシ上に配列させた際に、隣接する複数の鍵間の隙間にばらつきが生じることがある。このような場合には、連結支持部を鍵盤シャーシに取り付けるためのビスの締付力を調整することにより、鍵を左右方向に変位させて隣接する鍵間の隙間を調整している。すなわち、ビスを強く締め付けると、そのビスの回転方向に向けて鍵が変位し、またビスの締付力を緩めると、そのビスの回転方向に向けて鍵が変位することにより、ビスの締付力によって隣接する複数の鍵間の隙間を調整している。
【０００６】
しかしながら、このように隣接する鍵間の隙間をビスの締付力によって調整するためには、ビスを微妙に締め付けなければならないため、ビスの締付作業が難しく、調整作業に時間がかかるばかりか、経験を必要とするため、調整作業が面倒であり、隣接する鍵間の隙間を簡単に調整することができないという問題がある。特に、連結支持部を鍵盤シャーシに取り付けるためのビスは、複数の鍵にそれぞれ対応して設けられている訳ではなく、鍵の所定間隔ごとに設けられているため、隣接する鍵間の隙間を調整する作業は、一層、難しくなる。
【０００７】
この発明が解決しようとする課題は、簡単に隣接する鍵間の隙間を各鍵ごとに個別に調整することができる鍵盤装置を提供することである。
【課題を解決するための手段】
【０００８】
この発明は、上記課題を解決するために、次のような構成要素を備えている。
請求項１に記載の発明は、並列に配列された複数の鍵と、この複数の鍵の各後部にそれぞれ設けられ、押鍵操作に応じてヒンジとして上下方向に撓み変形する複数の撓み部と、前記複数の鍵の後方にその配列方向に連続して配置され、前記複数の撓み部がそれぞれ連結される連結支持部と、前記各鍵と当該各鍵に対応して設けられた前記連結支持部との間に設けられ、上下方向から押されることによって上下方向に変形することにより、前記鍵を前記撓み部と共にほぼ水平方向に変位させる変形部と、を備えていることを特徴とする鍵盤装置である。
【００１０】
請求項２に記載の発明は、前記変形部が、前記鍵の長手方向に沿って複数個ずつ設けられていることを特徴とする請求項１に記載の鍵盤装置である。
【００１１】
請求項３に記載の発明は、前記変形部が、前記撓み部における前記鍵の配列方向の両側にそれぞれ設けられていることを特徴とする請求項１または請求項２に記載の鍵盤装置である。
【発明の効果】
【００１２】
この発明によれば、並列に配列された複数の鍵と、この複数の鍵の各後部にそれぞれ設けられた複数の撓み部がそれぞれ連結される連結支持部との間に、それぞれ変形可能に設けられた複数の隙間調整部を変形させるだけの簡単な作業で、隣接する複数の鍵の間隔を各鍵ごとに個別に調整することができる。
【図面の簡単な説明】
【００１３】
【図１】この発明を適用した鍵盤装置の実施形態１における要部を示した正面図である。
【図２】図１のＡ−Ａ矢視における一部破断した側面図である。
【図３】図１における第１の白鍵ユニットを示し、（ａ）はその正面図、（ｂ）はそのＢ−Ｂ矢視における一部破断した側面図である。
【図４】図１における第２の白鍵ユニットを示し、（ａ）はその正面図、（ｂ）はそのＣ−Ｃ矢視における一部破断した側面図である。
【図５】図１における黒鍵ユニットを示し、（ａ）はその正面図、（ｂ）はそのＤ−Ｄ矢視における一部破断した側面図である。
【図６】図１に示された撓み部および隙間調整部の箇所を示した要部の拡大斜視図である。
【図７】図６に示された隙間調整部の変形部を変形させた状態を示した要部の拡大斜視図である。
【図８】図１の鍵盤装置において第１の白鍵ユニットにおける一部の白鍵が横振れして、これに隣接する白鍵との間に広い隙間が生じた状態を示した要部の正面図である。
【図９】図８に示された第１の白鍵ユニットにおいて一部の白鍵の横振れを修正する状態を示した正面図である。
【図１０】この発明を適用した鍵盤装置の実施形態２において、撓み部および隙間調整部の箇所を示した要部の拡大斜視図である。
【図１１】図１０に示された隙間調整部における後部側の変形部を変形させて、鍵を左右のいずれか一方に変位させた状態を示した要部の拡大斜視図である。
【図１２】図１０に示された隙間調整部における前後部の２つの変形部をそれぞれ変形させて、鍵を左右のいずれか一方に大きく変位させた状態を示した要部の拡大斜視図である。
【図１３】図１０に示された隙間調整部における中間部の変形部を変形させて、鍵を左右のいずれか他方に変位させた状態を示した要部の拡大斜視図である。
【発明を実施するための形態】
【００１４】
（実施形態１）
以下、図１〜図９を参照して、この発明を適用した鍵盤装置の実施形態１について説明する。
この鍵盤装置は、図１および図２に示すように、第１の白鍵ユニット１と、第２の白鍵ユニット２と、黒鍵ユニット３とを備えている。
【００１５】
第１の白鍵ユニット１は複数の白鍵４（Ｄ、Ｆ、Ａの各鍵）を有しており、第２の白鍵ユニット２は複数の白鍵５（Ｃ、Ｅ、Ｇ、Ｂの各鍵）を有している。また、黒鍵ユニット３は複数の黒鍵６（Ｃ＃、Ｄ＃、Ｆ＃、Ｇ＃、Ａ＃の各鍵）を有している。これら第１、第２の各白鍵ユニット１、２の各鍵４、５および黒鍵ユニット３の各鍵６は、音階順に並列に配列されている。
【００１６】
この場合、第１の白鍵ユニット１は、図３（ａ）および図３（ｂ）に示すように、複数の白鍵４（Ｄ、Ｆ、Ａの各鍵）の各後端部（図３（ｂ）では右端部）が、白鍵４の配列方向に沿って連続する第１の白鍵連結支持部７に、それぞれ撓み部１０および隙間調整部１１を介して一体に連結されていることにより、複数の白鍵４が所定間隔で配列された構成になっている。すなわち、この第１の白鍵ユニット１は、複数の白鍵４、複数の撓み部１０、複数の隙間調整部１１、および白鍵連結支持部７が、ポリプロピレン樹脂やスチロール系樹脂などの合成樹脂によって一体に成形された構成になっている。
【００１７】
第２の白鍵ユニット２は、図４（ａ）および図４（ｂ）に示すように、複数の白鍵５（Ｃ、Ｅ、Ｇ、Ｂの各鍵）の各後端部（図４（ｂ）では右端部）が、白鍵５の配列方向に沿って連続する第２の白鍵連結支持部８に、それぞれ撓み部１０および隙間調整部１１を介して一体に連結されていることにより、複数の白鍵５が所定間隔、つまり第１の白鍵ユニット１の各鍵４の間に配置される間隔で配列された構成になっている。この第２の白鍵ユニット２も、複数の白鍵５、複数の撓み部１０、複数の隙間調整部１１、および白鍵連結支持部８が、ポリプロピレン樹脂やスチロール系樹脂などの合成樹脂によって一体に成形された構成になっている。
【００１８】
黒鍵ユニット３は、図５（ａ）および図５（ｂ）に示すように、複数の黒鍵６（Ｃ＃、Ｄ＃、Ｆ＃、Ｇ＃、Ａ＃の各鍵）の各後端部（図５（ｂ）では右端部）が、黒鍵６の配列方向に沿って連続する黒鍵連結支持部９に、それぞれ撓み部１０および隙間調整部１１を介して一体に連結されていることにより、複数の黒鍵６が所定間隔、つまり第１、第２の各白鍵ユニット１、２の各鍵４、５の間に配置される間隔で配列された構成になっている。この黒鍵ユニット３も、複数の黒鍵６、複数の撓み部１０、複数の隙間調整部１１、および黒連結支持部８が、ポリプロピレン樹脂やスチロール系樹脂などの合成樹脂によって一体に成形された構成になっている。
【００１９】
ところで、第１の白鍵ユニット１における複数の白鍵４は、図３（ａ）および図３（ｂ）に示すように、その各後端部に形成されて第１の白鍵連結支持部５に一体に連結された各撓み部１０を支点として上下方向に回転するように構成されている。この撓み部１０は、ヒンジに相当する部分であり、図６および図７に示すように、白鍵４の後端部における左右方向、つまり白鍵４の配列方向の中間部から白鍵連結支持部５に亘って上下方向に撓み変形するリブ状に形成されている。
【００２０】
すなわち、この撓み部１０は、白鍵４が押鍵されると、白鍵連結支持部５に支持された状態で、前部側（つまり白鍵４の後部側に位置する部分）が下側に撓むことにより、白鍵４を下側に向けて回転させ、この後、撓み部１０の弾性復帰することにより、白鍵４を上側に回転させて初期位置に戻すように構成されている。この場合、撓み部１０は、図３（ｂ）に示すように、白鍵４の後端面における下部、つまり後端面の下端部よりも少し上側に位置する箇所に設けられている。
【００２１】
また、隙間調整部１１は、図６および図７に示すように、複数の白鍵４の各後端部と白鍵連結支持部７との間にそれぞれ設けられている。この隙間調整部１１は、撓み部１０における白鍵４の配列方向の両側（図６では左右方向の両側）にそれぞれ設けられた一対の変形部１２である。この一対の変形部１２は、図６に示すように、それぞれ肉厚が薄く形成されたほぼ半分の角錐形状に膨出形成されている。
【００２２】
すなわち、この変形部１２は、図６に示すように、複数の白鍵４の各後端部と白鍵連結支持部７との間における中間部に向けて徐々に高くなると共に、撓み部１０の側部から離れるに従って徐々に高くなるように形成されている。このため、この変形部１２は、図６に示すように、撓み部１０の側面から離れた辺部１２ａが撓み部１０の前後方向の長さよりも長く形成されている。
【００２３】
これにより、この変形部１２は、図７に示すように、上方から押されると、ほぼ半角錐形状に膨出された部分が潰れるように変形し、このときに変形部１２の突っ張り力によって白鍵４の後部と白鍵連結支持部７との間を押し広げ、ほぼ半角錐形状の最も高い部分が最も低くなるようにほぼＶ字形状に変形することにより、白鍵４の後端部を前側に向けて押し出して白鍵４を左右方向に僅かに変位させるように構成されている。
【００２４】
すなわち、一対の変形部１２のうち、撓み部１０の右側に位置する変形部１２は、図７に示すように、上方から押されてほぼＶ字形状に変形することにより、白鍵４を左方向に変位させるように構成されている。また、撓み部１０の左側に位置する変形部１２は、上方から押されてほぼＶ字形状に変形することにより、白鍵４を右方向に変位させるように構成されている。この場合、変形部１２は、上方から押されてほぼＶ字形状に変形する際に、上方からの押し下げ力に応じて白鍵４の変位量が微妙に変化するように構成されている。
【００２５】
このような第１の白鍵ユニット１の第１の白鍵連結支持部７は、図３（ａ）および図３（ｂ）に示すように、白鍵４の配列方向に沿って連続する帯板状に形成され、その前端面（図３（ｂ）では左端面）における下端部に撓み部１０および隙間調整部１１がそれぞれ一体に連結形成され、これにより撓み部１０および隙間調整部１１を介して複数の白鍵４を支持するように構成されている。この第１の白鍵連結支持部７は、その所定箇所がビス１４によって鍵盤シャーシ１３上に取り付けられている。
【００２６】
一方、第２の白鍵ユニット２における複数の白鍵５は、図４（ａ）および図４（ｂ）に示すように、その各後端部に形成されて第２の白鍵連結支持部８に一体に連結された各撓み部１０を支点として上下方向に回転するように構成されている。この場合にも、撓み部１０は、第１の白鍵ユニット１と同様、ヒンジに相当する部分であり、白鍵４の後端部における白鍵５の配列方向（図６では左右方向）の中間部から白鍵連結支持部８に亘って上下方向に撓み変形するリブ状に形成されている。この撓み部１０は、図４（ｂ）に示すように、白鍵５の後端面における下端部に設けられている。
【００２７】
また、この第２の白鍵ユニット２における各白鍵５の隙間調整部１１も、第１の白鍵ユニット１と同様、複数の白鍵５の各後端部と白鍵連結支持部７８の間にそれぞれ設けられている。すなわち、この隙間調整部１１も、撓み部１０における白鍵５の配列方向の両側にそれぞれ設けられた一対の変形部１２である。この一対の変形部１２も、第１の白鍵ユニット１と同様、それぞれ肉厚が薄く形成されたほぼ半分の角錐形状に膨出形成されている。
【００２８】
すなわち、この変形部１２も、図６に示すように、複数の白鍵５の各後端部と白鍵連結支持部８との間における中間部に向けて徐々に高くなると共に、撓み部１０の側部から離れるに従って徐々に高くなるように形成されている。このため、この変形部１２も、撓み部１０の側面から離れた辺部１２ａが撓み部１０の前後方向の長さよりも長く形成されている。
【００２９】
これにより、この変形部１２は、図７に示すように、上方から押されると、ほぼ半角錐形状に膨出された部分が潰れるように変形し、このときに変形部１２の突っ張り力によって白鍵５の後部と白鍵連結支持部８との間を押し広げ、ほぼ半角錐形状の最も高い部分が最も低くなるようにほぼＶ字形状に変形することにより、白鍵５の後端部を前側に向けて押し出して、白鍵５を左右方向に僅かに変位させるように構成されている。この場合にも、変形部１２は、上方から押されてほぼＶ字形状に変形する際に、上方からの押し下げ力に応じて白鍵５の変位量が微妙に変化するように構成されている。
【００３０】
このような第２の白鍵ユニット２の白鍵連結支持部８も、図４（ａ）および図４（ｂ）に示すように、白鍵７の配列方向に沿って連続する帯板状に形成され、その前端面（図４（ｂ）では左端面）における中間部に撓み部１０および隙間調整部１１がそれぞれ一体に連結形成され、これにより撓み部１０および隙間調整部１１を介して複数の白鍵５を支持するように構成されている。この第２の白鍵連結支持部８も、その所定箇所がビス１４によって鍵盤シャーシ１３上に取り付けられている。
【００３１】
同様に、黒鍵ユニット３における複数の黒鍵６は、図５（ａ）および図５（ｂ）に示すように、その各後端部に形成されて黒鍵連結支持部９に一体に連結された各撓み部１０を支点として上下方向に回転するように構成されている。この場合にも、撓み部１０は、第１、第２の各白鍵ユニット１、２と同様、ヒンジに相当する部分であり、黒鍵６の後端部における黒鍵６の配列方向（図６では左右方向）の中間部から黒鍵連結支持部９に亘って上下方向に撓み変形するリブ状に形成されている。この撓み部１０は、図５（ｂ）に示すように、黒鍵６の後端面における下部に設けられている。
【００３２】
また、この黒鍵ユニット３における各黒鍵６の隙間調整部１１も、第１、第２の各白鍵ユニット１、２と同様、複数の黒鍵６の各後端部と黒鍵連結支持部６との間にそれぞれ設けられている。すなわち、この隙間調整部１１も、撓み部１０における黒鍵６の配列方向の両側にそれぞれ設けられた一対の変形部１２である。この一対の変形部１２も、第１、第２の各白鍵ユニット１、２と同様、それぞれ肉厚が薄く形成されたほぼ半分の角錐形状に膨出形成されている。
【００３３】
すなわち、この変形部１２も、図６に示すように、複数の黒鍵６の各後端部と黒鍵連結支持部９との間における中間部に向けて徐々に高くなると共に、撓み部１０の側部から離れるに従って徐々に高くなるように形成されている。このため、この変形部１２も、撓み部１０の側面から離れた辺部１２ａが撓み部１０の前後方向の長さよりも長く形成されている。
【００３４】
これにより、この変形部１２は、第１、第２の各白鍵ユニット１、２と同様、上方から押されると、ほぼ半角錐形状に膨出された部分が潰れるように変形し、このときに変形部１２の突っ張り力によって黒鍵６の後部と黒鍵連結支持部９との間を押し広げ、ほぼ半角錐形状の最も高い部分が最も低くなるようにほぼＶ字形状に変形することにより、黒鍵６の後端部を前側に向けて押し出して、黒鍵６を左右方向に僅かに変位させるように構成されている。この場合にも、変形部１２は、上方から押されてほぼＶ字形状に変形する際に、上方からの押し下げ力に応じて黒鍵６の変位量が微妙に変化するように構成されている。
【００３５】
このような黒鍵ユニット３の黒鍵連結支持部９も、図５（ａ）および図５（ｂ）に示すように、黒鍵６の配列方向に連続する帯板状に形成され、その前端部（図５（ｂ）では左端面）における上面に撓み部１０および隙間調整部１１がそれぞれ一体に連結形成され、これにより撓み部１０および隙間調整部１１を介して複数の黒鍵６を支持するように構成されている。この黒鍵連結支持部９も、その所定箇所がビス１４によって鍵盤シャーシ１３上に取り付けられている。
【００３６】
ところで、第１、第２の各白鍵ユニット１、２および黒鍵ユニット３は、図１および図２に示すように、第１、第２の各白鍵連結支持部７、８および黒鍵連結支持部９を重ね合わせ、この状態で第１、第２の各白鍵連結支持部７、８および黒鍵連結支持部９が、複数のビス１４によって締め付けられて鍵盤シャーシ１３上に固定されるように構成されている。
【００３７】
これにより、第１、第２の各白鍵ユニット１、２および黒鍵ユニット３は、図１に示すように、第１の白鍵ユニット１における各白鍵４の間、第２の白鍵ユニット２における各白鍵５の間、および黒鍵ユニット３における各黒鍵６の間に、各白鍵４、５および各黒鍵６がそれぞれ交互に配置されて音階順に配列されるように構成されている。
【００３８】
次に、このような鍵盤装置を組み立てて、各白鍵４、５および各黒鍵６間の隙間を調整する場合について説明する。
この鍵盤装置では、まず、第１、第２の各白鍵連結支持部７、８および黒鍵連結支持部９を重ね合わせた状態で、第１、第２の各白鍵連結支持部７、８および黒鍵連結支持部９を、複数のビス１４によって締め付けて鍵盤シャーシ１３上に固定する。
【００３９】
すると、第１、第２の各白鍵ユニット１、２および黒鍵ユニット３は、図１に示すように、第１の白鍵ユニット１における各白鍵４の間、第２の白鍵ユニット２における各白鍵５の間、および黒鍵ユニット３における各黒鍵６の間に、各白鍵４、５および各黒鍵６がそれぞれ交互に配置されて音階順に配列される。
【００４０】
この場合、第１、第２の各白鍵ユニット１、２および黒鍵ユニット３は、それぞれ成形用金型で成形されて取り出される際に、その成形用金型からの離型不良や、組立て時における精度不良などによって、各白鍵４、５および各黒鍵６の間の隙間Ｓにばらつきが生じることがある。例えば、図８に示すように、第１の白鍵ユニット１における１つの白鍵４（Ｆの鍵）が離型不良や精度不良などによって右方向に偏って配置された場合には、このＦの白鍵４に隣接する第２の白鍵ユニット２の白鍵５（Ｅの鍵）との間の隙間Ｓが大きくなる。
【００４１】
このような場合には、図９に示すように、第１の白鍵ユニット１におけるＦの白鍵４に対応する隙間調整部１１の一対の変形部１２のうち、撓み部１０の右側に位置する変形部１２を押し下げる。すると、図７に示すように、撓み部１０の右側に位置する変形部１２が潰れるように変形する。すなわち、この変形部１２は、上方から押されると、ほぼ半角錐形状の部分が潰れるように変形し、このときに変形部１２の突っ張り力によって白鍵４の後部と白鍵連結支持部７との間を押し広げ、ほぼ半角錐形状の最も高い部分が最も低くなるようにほぼＶ字形状に変形する。
【００４２】
このように、撓み部１０の右側に位置する変形部１２が変形すると、白鍵４の後部が前側に向けて押し出されるので、図９に２点鎖線で示すように、Ｆの白鍵４が左方向に僅かに変位する。これにより、離型不良や精度不良などによって生じたＦの白鍵４の偏りが修正され、図１に示すように、各白鍵４、５および各黒鍵６の間の隙間Ｓが均一なり、各白鍵４、５および各黒鍵６を良好に配列させることができる。
【００４３】
この場合、変形部１２は、上方から押されてほぼＶ字形状に変形する際に、上方からの押し下げ力に応じて白鍵４の変位量を微妙に変化させるので、各白鍵４、５および各黒鍵６の間の隙間Ｓを均一になるように正確に調整することができる。また、白鍵４を右方向に変位させて隙間を調整する場合には、撓み部１０の左側に位置する変形部１２を押し下げて、上述した場合と同様に、変形部１２を変形させれば良い。
【００４４】
このような隙間Ｓの調整は、第１の白鍵ユニット１の各白鍵４に限らず、第２の白鍵ユニット２の各白鍵５および黒鍵ユニット３の各黒鍵６にいずれかが、成形用金型からの離型不良や、組立て時における精度不良などによって、各白鍵５および各黒鍵６の各間の隙間Ｓにばらつきが生じた場合にも、上述したように、鍵５、６の偏りを修正し、各鍵４、６の各間の隙間Ｓを均一にして、各白鍵４、５および各黒鍵６を良好に配列させることができる。
【００４５】
このように、この鍵盤装置によれば、並列に配列された複数の鍵４〜６と、この複数の鍵４〜６の各後部にそれぞれ設けられ、押鍵操作に応じてヒンジとして上下方向に撓み変形する複数の撓み部１０と、複数の鍵４〜６の後方にその配列方向に連続して配置され、複数の撓み部１０がそれぞれ連結される連結支持部７〜９と、複数の鍵４〜６と連結支持部７〜９との間にそれぞれ変形可能に設けられ、隣接する複数の鍵４〜６の各隙間Ｓをそれぞれ変形によって調整するための複数の隙間調整部１１と、を備えているので、隣接する鍵４〜６間の各隙間Ｓを簡単に調整することができる。
【００４６】
すなわち、この鍵盤装置では、並列に配列された複数の鍵４〜６と、この複数の鍵４〜６の各後部にそれぞれ設けられた複数の撓み部１０がそれぞれ連結される連結支持部７〜９との間に、それぞれ隙間調整部１１を変形可能に設けた構成であるから、この隙間調整部１１のいずれかを選択して変形させるだけの簡単な作業で、隣接する複数の鍵４〜６の各間隔Ｓを各鍵４〜６ごとに個別に良好に調整することができる。
【００４７】
この場合、隙間調整部１１は、上下方向に変形して鍵４〜６を撓み部１０と共にほぼ水平方向に変位させる一対の変形部１２であることにより、この一対の変形部１２のいずれか一方を押すだけで、変形部１２を簡単に変形させることができ、これにより隣接する複数の鍵４〜６の各間隔Ｓを容易に且つ確実に調整することができる。
【００４８】
すなわち、この変形部１２は、複数の鍵４〜６の各後部と連結支持部７〜９との間における中間部に向けて徐々に高くなると共に、撓み部１０の側部から離れるに従って徐々に高くなるほぼ半分の角錐形状に形成されているので、変形部１２が上方から押されると、ほぼ半角錐形状の最も高い部分が最も低くなるように変形することにより、鍵４〜６を左右方向に変位させることができる。
【００４９】
この場合、変形部１２は、ほぼ半分の角錐形状に形成されていることにより、撓み部１０の側面から離れた辺部１２ａが撓み部１０の前後方向の長さよりも長く形成されているので、上方から押されると、ほぼ半角錐形状の部分が潰れるように変形し、このときに変形部１２の突っ張り力によって白鍵４の後部と白鍵連結支持部７との間を押し広げ、ほぼ半角錐形状の最も高い部分が最も低くなるようにほぼＶ字形状に変形することにより、鍵４〜６の後部を前側に向けて押し出すことができる。
【００５０】
これにより、変形部１２は、その変形によって鍵４〜６を確実に且つ良好に左右方向に変位させることができる。この場合、変形部１２は、上方から押されてほぼＶ字形状に変形する際に、上方からの押し下げ力に応じて白鍵４の変位量を微妙に変化させることができるので、隣接する複数の鍵４〜６の各間隔Ｓをきめ細かく調整することができる。
【００５１】
また、この変形部１２は、撓み部１０における鍵４〜６の配列方向の両側にそれぞれ設けられているので、撓み部１０の右側に位置する変形部１２が上方から押されてほぼＶ字形状に変形することにより、鍵４〜６を左方向に変位させることができ、また撓み部１０の左側に位置する変形部１２が上方から押されてほぼＶ字形状に変形することにより、鍵４〜６を右方向に変位させることができる。
【００５２】
このため、この変形部１２は、１つの鍵４〜６を左右方向のいずれかの方向に変位させることができるので、鍵４〜６の各隙間Ｓをそれぞれ個別に調整することができると共に、撓み部１０の両側に設けられた変形部１２をそれぞれ上方から押す際に、その上方からの押し下げ力を左右で変えることにより、鍵４〜６を左右方向に微妙に変位させることができるので、隣接する複数の鍵４〜６の各間隔Ｓを正確に且つ微妙に調整することができる。
【００５３】
さらに、この鍵盤装置では、第１、第２の各白鍵ユニット１、２および黒鍵ユニット３をそれぞれ一体に成形するための成形用金型の製作が容易にできるので、第１、第２の各白鍵ユニット１、２および黒鍵ユニット３を安価に製作することができる。また、鍵４〜６が配列された鍵盤シャーシ１３を収納する楽器ケース（図示せず）の底部にドライバーなどの工具が挿入する修理用の孔を設けることにより、製品を組立て後においても、鍵４〜６の隙間Ｓを容易に調整することができるので、保守点検などのメンテナンス性が良い。
【００５４】
（実施形態２）
次に、図１０〜図１３を参照して、この発明を適用した鍵盤装置の実施形態２について説明する。なお、図１〜図９に示された実施形態１と同一部分には同一符号を付して説明する。
この鍵盤装置は、図１０に示すように、隙間調整部２０が実施形態１と異なる構成であり、これ以外は実施形態１と同じ構成になっている。この場合、この鍵盤装置においても、第１、第２の各白鍵ユニット１、２および黒鍵ユニット３を備えているが、以下では第１の白鍵ユニット１のみついて説明する。
【００５５】
この第１の白鍵ユニット１は、実施形態１と同様、複数の白鍵４の各後端部（図１０では右端部）が、白鍵４の配列方向に沿って連続する第１の白鍵連結支持部７に、それぞれ撓み部１０および隙間調整部２０を介して一体に連結された構成になっている。この場合にも、第１の白鍵ユニット１は、複数の白鍵４が所定間隔で配列された状態で、複数の白鍵４、複数の撓み部１０、複数の隙間調整部２０、および白鍵連結支持部７が、ポリプロピレン樹脂やスチロール系樹脂などの合成樹脂によって一体に成形された構成になっている。
【００５６】
撓み部１０は、実施形態１と同様、白鍵４の後端部における左右方向、つまり白鍵４の配列方向における中間部から白鍵連結支持部５に亘って上下方向に撓み変形するリブ状に形成されている。この撓み部１０も、ヒンジに相当する部分であり、白鍵４が押鍵されると、白鍵連結支持部５に支持された状態で、前部側（つまり白鍵４の後部に位置する部分）が下側に撓むことにより、白鍵４を下側に向けて回転させ、この後、撓み部１０が弾性復帰することにより、白鍵４を上側に回転させて初期位置に戻すように構成されている。
【００５７】
ところで、隙間調整部２０は、図１０に示すように、複数の白鍵４の各後端部と白鍵連結支持部７との間に位置し、且つ撓み部１０における白鍵４の配列方向の両側にそれぞれ設けられている。この隙間調整部２０は、図１０に示すように、肉厚の薄い３つの変形部２１〜２３が白鍵４の長手方向（つまり白鍵４の前後方向）に沿ってほぼ波形状に連続して形成されている。
【００５８】
この３つの変形部２１〜２３は、図１０に示すように、撓み部１０の側面に位置する部分がほぼ直線的に形成され、撓み部１０の側面から離れた辺部２０ａが上下に変化する波形状に形成されていることにより、その辺部２０ａが撓み部１０の前後方向の長さよりも長く形成されている。
【００５９】
この場合、３つの変形部２１〜２３のうち、撓み部１０の前後に位置する２つの変形部２１、２３は、図１０に示すように、白鍵４の後端部と白鍵連結支持部７との間において上側に向けて徐々に高くなると共に、撓み部１０の側部から離れるに従って徐々に高くなるように形成されている。また、中間に位置する変形部２２は、白鍵４の後端部と白鍵連結支持部７との間の中間部において下側に向けて徐々に低くなると共に、撓み部１０の側部から離れるに従って徐々に低くなるように形成されている。
【００６０】
これにより、この隙間調整部２０は、図１１に示すように、後部側に位置する変形部２３が上方から押されて潰れるように変形すると、この変形部２３の突っ張り力によって白鍵４の後部と白鍵連結支持部７との間を押し広げ、この後部側の変形部２３の最も高い部分が中間の変形部２２と同様に低くなるように変形することにより、白鍵４の後端部を前側に向けて押し出して、白鍵４を左右方向に僅かに変位させるように構成されている。
【００６１】
すなわち、一対の隙間調整部２０のうち、撓み部１０の右側に位置する隙間調整部２０は、図１１に示すように、３つの変形部２１〜２３のうち、後部側に位置する変形部２３が上方から押されて変形すると、白鍵４を左方向に変位させるように構成されている。同様に、この隙間調整部２０は、３つの変形部２１〜２３のうち、前部側に位置する変形部２１が上方から押されて変形すると、白鍵４を左方向に変位させるように構成されている。
【００６２】
また、この隙間調整部２０は、３つの変形部２１〜２３のうち、前後部に位置する２つの変形部２１、２３がそれぞれ上方から押されて変形すると、図１２に示すように、この２つの変形部２１、２３の突っ張り力によって白鍵４の後部と白鍵連結支持部７との間を大きく押し広げ、この変形部２１、２３の最も高い部分が中間の変形部２２と同様に低くなるように変形することにより、白鍵４を左方向に大きく変位させるように構成されている。
【００６３】
さらに、撓み部１０の右側に位置する隙間調整部２０は、図１３に示すように、中間に位置する変形部２２が下方から押されると、上方に膨らむように変形して、白鍵４の後部と白鍵連結支持部７との間を縮めるように引き寄せ、この中間の変形部２２の最も低い部分が最も高くなるように変形することにより、白鍵４の後端部を後側に向けて引っ張り、白鍵４を右方向に変位させるように構成されている。
【００６４】
このため、この隙間調整部２０は、撓み部１０の片側に位置する３つの変形部２１〜２３を選択的に変形させることにより、白鍵４を左右のいずれかの方向に微妙に変位させるように構成されている。また、この隙間調整部２０は、撓み部１０の両側にそれぞれ設けられていることにより、撓み部１０の両側にそれぞれ位置する各３つの変形部２１〜２３をそれぞれ選択的に変形させることにより、白鍵４を左右のいずれかの方向に、より一層、微妙に変位させるように構成されている。
【００６５】
この場合にも、３つの変形部２１〜２３は、上下方向から押されて変形する際に、その押す力に応じて白鍵４の変位量が微妙に変化するように構成されている。また、このような隙間調整部２０は、第１の白鍵ユニット１の各白鍵４に限らず、第２の白鍵ユニット２の各白鍵５、および黒鍵ユニット３の各黒鍵６にも、それぞれ設けられている。
【００６６】
このように、この鍵盤装置によれば、複数の鍵４〜６の各後部と連結支持部７〜９との間に位置し、且つ撓み部１０における鍵４〜６の配列方向の両側に隙間調整部２０がそれぞれ設けられ、この各隙間調整部２０が、それぞれ肉厚の薄い３つの変形部２１〜２３を鍵４〜６の前後方向に沿ってほぼ波形状に連続させて形成した構成であるから、実施形態１と同様、隣接する複数の鍵４〜６の各間隔Ｓを各鍵４〜６ごとに個別に調整することができる。
【００６７】
すなわち、この隙間調整部２０は、３つの変形部２１〜２３が鍵４〜６の前後方向に沿ってほぼ波形状に連続して形成された構成であるから、撓み部１０の前後に位置する２つの変形部２１、２３の一方を変形させることにより、鍵４〜６を左右の一方向（例えば、図１１に示す左方向）に変位させることができ、また中間に位置する変形部２２を変形させることにより、鍵４〜６を左右の他方向（例えば、図１２に示す右方向）に変位させることができる。
【００６８】
この場合、隙間調整部２０は、３つの変形部２１〜２３のうち、前後部に位置する２つの変形部２１、２３がそれぞれ上方から押されて変形すると、鍵４〜６を左右の一方向（例えば、図１１に示す左方向）に大きく変位させることができる。このため、この隙間調整部２０は、撓み部１０の片側に位置する３つの変形部２１〜２３を選択的に変形させることにより、鍵４〜６を左右のいずれかの方向に微妙に変位させることができる。
【００６９】
また、この３つの変形部２１〜２３は、上下方向から押されて変形する際に、その押される力に応じて鍵４〜６の変位量を微妙に変化させることができるので、各白鍵４、５および各黒鍵６の間の隙間Ｓを均一になるように、きめ細かく正確に且つ良好に調整することができる。
【００７０】
さらに、この隙間調整部２０は、撓み部１０における鍵４〜６の配列方向の両側にそれぞれ設けられていることにより、撓み部１０の両側にそれぞれ位置する各３つの変形部２１〜２３をそれぞれ選択的に変形させることにより、鍵４〜６を左右のいずれかの方向に、より一層、微妙に変位させることができるので、実施形態１よりも、隣接する複数の鍵４〜６の各間隔Ｓを各鍵４〜６ごとに個別にきめ細かく調整することができる。
【００７１】
なお、上述した実施形態２では、隙間調整部２０が撓み部１０における鍵４〜６の配列方向の両側にそれぞれ設けられている場合について述べたが、これに限らず、例えば隙間調整部２０を撓み部１０のいずれか一方のみに設けた構成であっても良い。このように片側のみに隙間調整部２０を設けた構成であっても、３つの変形部２１〜２３のいずれかを変形させるだけで、鍵４〜６を左右方のいずれか一方に変位させることができる。
【符号の説明】
【００７２】
１、２  第１、第２の各白鍵ユニット
３  黒鍵ユニット
４、５  白鍵
６  黒鍵
７、８  白鍵連結支持部
９  黒鍵連結支持部
１０  撓み部
１１、２０  隙間調整部
１２、２１〜２３  変形部
１３  鍵盤シャーシ
１４  ビス
【図１】
0005489071.tif 000002
【図２】
0005489071.tif 000003
【図３】
0005489071.tif 000004
【図４】
0005489071.tif 000005
【図５】
0005489071.tif 000006
【図６】
0005489071.tif 000007
【図７】
0005489071.tif 000008
【図８】
0005489071.tif 000009
【図９】
0005489071.tif 000010
【図１０】
0005489071.tif 000011
【図１１】
0005489071.tif 000012
【図１２】
0005489071.tif 000013
【図１３】
0005489071.tif 000014